(57)【要約】【課題】乳児が泣いている原因を正確に判定し、当該原因に応じた適切な対処方法を育児者に提供する。【解決手段】乳児の泣き声に基づいて、おむつが濡れたことを原因として前記乳児が泣いているのか否かを判定する判定処理（Ｓ１０４）と、前記おむつが濡れたことを原因として前記乳児が泣いていると判定された場合は、前記おむつが濡れたことを原因として前記乳児が泣いていることを表すおむつ濡れ判定画面（３１０）を表示部（１４）に表示させる表示処理（Ｓ１０５）と、前記おむつ濡れ判定画面（３１０）中の所定のボタン（３１４）がタップされると、複数種類のおむつブランドのサイトのうち、特定のおむつブランドのサイトへ接続するリンク処理（Ｓ１０７）と、をコンピューター（１０）に実行させる。【選択図】図２
2019095931.tif 000002
【特許請求の範囲】
【請求項１】
乳児の泣き声に基づいて、おむつが濡れたことを原因として前記乳児が泣いているのか否かを判定する判定処理と、
前記おむつが濡れたことを原因として前記乳児が泣いていると判定された場合は、前記おむつが濡れたことを原因として前記乳児が泣いていることを表すおむつ濡れ判定画面を表示部に表示させる表示処理と、
前記おむつ濡れ判定画面中の所定のボタンがタップされると、複数種類のおむつブランドのサイトのうち、特定のおむつブランドのサイトへ接続するリンク処理と、
をコンピューターに実行させることを特徴とするプログラム。
【請求項２】
請求項１に記載のプログラムであって、
前記リンク処理において、前記おむつ濡れ判定画面中の前記所定のボタンがタップされると、複数種類のおむつブランドのサイトのうち、月齢６月以内の乳児向けおむつブランドのサイトへ接続する、ことを特徴とするプログラム。
【請求項３】
請求項１または２に記載のプログラムであって、
月齢６月以内の前記乳児の泣き声に基づいて、前記判定処理を前記コンピューターに実行させる、ことを特徴とするプログラム。
【請求項４】
請求項１〜３のいずれか１項に記載のプログラムであって、
前記判定処理において、前記乳児の泣き声に基づいて、前記乳児が泣いている原因が、
前記おむつが濡れたことと、
前記乳児が眠気を感じていることと、
前記乳児が空腹を感じていることと、
前記乳児が不安を感じていることと、
のうちいずれかに該当するか否かを判定し、
前記原因のうちいずれにも該当しないと判定された場合には、判定できなかったことを表す判定不能画面を前記表示部に表示させる判定不能表示処理を前記コンピューターに実行させる、ことを特徴とするプログラム。
【請求項５】
請求項１〜４のいずれか１項に記載のプログラムであって、
前記判定処理において、前記乳児の泣き声に基づいて、前記乳児が泣いている原因が、
前記おむつが濡れたことと、
前記乳児が眠気を感じていることと、
前記乳児が空腹を感じていることと、
前記乳児が不安を感じていることと、
のうちいずれかに該当すると判定された場合には、判定された原因毎に前記原因に対応した判定画面を前記表示部に表示させ、
前記リンク処理において、各々の前記判定画面について所定の操作が行われると、判定された前記原因に応じて異なるサイトへ接続する、ことを特徴とするプログラム。
【請求項６】
請求項５に記載のプログラムであって、
前記原因毎に表示される前記判定画面の各々には、特定のキャラクターが表示され、
前記判定画面毎に前記キャラクターの態様が異なる、ことを特徴とするプログラム。
【請求項７】
請求項６に記載のプログラムであって、
前記キャラクターの態様は、前記判定画面に対応する前記原因に関連した態様である、ことを特徴とするプログラム。
【請求項８】
請求項４〜７のいずれか１項に記載のプログラムであって、
前記不安には、前記乳児がさびしいと感じる感情と、前記乳児が保護者にかまってほしいと感じる感情と、前記乳児が痛いと感じる感情と、のうちいずれかの感情が含まれる、ことを特徴とするプログラム。
【請求項９】
請求項８に記載のプログラムであって、
前記コンピューターに、前記乳児の月齢を判定する月齢判定処理を実行させ、
前記乳児の月齢が所定の月齢以上であると判定した場合には、
前記不安とは異なる他の感情に関する原因を、前記乳児が泣いている原因の一項目として追加する、ことを特徴とするプログラム。
【請求項１０】
請求項９に記載のプログラムであって、
前記他の感情には、嫌悪、及び、恐怖のうち少なくとも一方に関する感情が含まれる、ことを特徴とするプログラム。
【請求項１１】
請求項１〜１０のいずれか１項に記載のプログラムであって、
前記複数種類のおむつブランドのサイトには、テープ型おむつに関するサイトと、パンツ型おむつに関するサイトとがあり、
前記複数種類のおむつブランドのサイトのうち、月齢６月以内の乳児向けおむつブランドのサイトは、前記テープ型おむつに関するサイトである、ことを特徴とするプログラム。
【請求項１２】
請求項１〜１１のいずれか１項に記載のプログラムであって、
前記プログラムの起動時に、
前記特定のおむつブランドのサイトのブランド名が示されたトップ画面を前記表示部に表示させる、ことを特徴とするプログラム。
【請求項１３】
請求項１２に記載のプログラムであって、
前記トップ画面について所定の操作が行われると、
月齢６月以内の前記乳児に関する育児情報を前記表示部に表示させる、ことを特徴とするプログラム。
【請求項１４】
請求項１〜１３のいずれか１項に記載のプログラムであって、
前記複数種類のおむつブランドのサイトのうち、月齢６月以内の乳児向けおむつブランドのサイトには、月齢６月以内の前記乳児向けおむつの吸収性能に関する情報が含まれる、ことを特徴とするプログラム。
【請求項１５】
乳児の泣き声に基づいて、おむつが濡れたことを原因として前記乳児が泣いているのか否かを判定する判定工程と、
前記おむつが濡れたことを原因として前記乳児が泣いていると判定された場合は、前記おむつが濡れたことを原因として前記乳児が泣いていることを表すおむつ濡れ判定画面を表示部に表示させる表示工程と、
前記おむつ濡れ判定画面中の所定のボタンがタップされると、複数種類のおむつブランドのサイトのうち、特定のおむつブランドのサイトへ接続するリンク工程と、
を有する、育児支援方法。
【発明の詳細な説明】
【技術分野】
【０００１】
本発明は、プログラム、及び、育児支援方法に関する。
【背景技術】
【０００２】
乳児の泣き声から、当該乳児が泣いている原因を推定する技術が知られている。例えば特許文献１には、乳児の泣き声を音声信号としてとらえ、音声信号の周波数スペクトルを解析することによって、乳児が「眠い」と感じているのか、「空腹」と感じているのかを推定する音声解析システムが開示されている。
【先行技術文献】
【特許文献】
【０００３】
【特許文献１】特開２００６−８４６３０号公報
【発明の概要】
【発明が解決しようとする課題】
【０００４】
特許文献１の音声解析システムによれば、育児者は、乳児が泣いている原因が「空腹」であるのか「眠気」であるのかを簡単に知ることができる。しかしながら、特許文献１の方法では、「眠い」や「空腹」以外の原因によって乳児が泣いている場合には、当該原因を正確に判定することができない。また、育児者の育児経験が浅い場合（例えば、育児者が新米ママ等の場合）には、乳児（特に月齢６か月以内の乳児）が泣いている原因が推定できたとしても、それに対してどのように対処すれば良いのかが分からず焦ってしまったり、誤った対処方法を実行してしまったりして、育児がうまくいかないおそれがある。
【０００５】
本発明は、上記のような問題に鑑みてなされたものであって、その目的とするところは、乳児が泣いている原因を正確に判定し、当該原因に応じた適切な対処方法を育児者に提供することにある。
【課題を解決するための手段】
【０００６】
上記目的を達成するための主たる発明は、乳児の泣き声に基づいて、おむつが濡れたことを原因として前記乳児が泣いているのか否かを判定する判定処理と、前記おむつが濡れたことを原因として前記乳児が泣いていると判定された場合は、前記おむつが濡れたことを原因として前記乳児が泣いていることを表すおむつ濡れ判定画面を表示部に表示させる表示処理と、前記おむつ濡れ判定画面中の所定のボタンがタップされると、特定のおむつブランドのサイトへ接続するリンク処理と、をコンピューターに実行させることを特徴とするプログラムである。
本発明の他の特徴については、本明細書及び添付図面の記載により明らかにする。
【発明の効果】
【０００７】
本発明によれば、乳児が泣いている原因を正確に判定し、当該原因に応じた適切な対処方法を育児者に提供することができる。
【図面の簡単な説明】
【０００８】
【図１】端末１０の機能上の構成を示すブロック図である。
【図２】本実施形態にかかる育児支援動作の処理手順を示すフロー図である。
【図３】トップ画面２００の一例を示す図である。
【図４】育児情報ボタン２１４がタップされた場合に表示される育児情報表示画面２５０の一例である。
【図５】泣き声判定開始画面３００の一例を示す図である。
【図６】おむつ濡れ判定画面３１０の一例を表す図である。
【図７】眠気判定画面３２０一例を表す図である。
【図８】空腹判定画面３３０一例を表す図である。
【図９】不安判定画面３４０一例を表す図である。
【図１０】判定不能画面４００の一例を表す図である。
【図１１】変形例における泣き声判定の処理手順の示すフロー図である。
【発明を実施するための形態】
【０００９】
本明細書及び添付図面の記載により、少なくとも以下の事項が明らかとなる。
乳児の泣き声に基づいて、おむつが濡れたことを原因として前記乳児が泣いているのか否かを判定する判定処理と、前記おむつが濡れたことを原因として前記乳児が泣いていると判定された場合は、前記おむつが濡れたことを原因として前記乳児が泣いていることを表すおむつ濡れ判定画面を表示部に表示させる表示処理と、前記おむつ濡れ判定画面中の所定のボタンがタップされると、特定のおむつブランドのサイトへ接続するリンク処理と、をコンピューターに実行させることを特徴とするプログラム。
【００１０】
このようなプログラムによれば、ユーザーは、おむつ濡れ判定画面を見ることで、乳児が泣いている原因を明確に認識することができる。また、当該画面からおむつブランドのサイトへリンクすることにより、ユーザーは、おむつに関する情報を簡単に入手することができる。したがって、ユーザーは、乳児が泣いている原因を正確に知ることができると共に、当該原因に応じた適切な対処方法を得ることができる。
【００１１】
かかるプログラムであって、前記リンク処理において、前記おむつ濡れ判定画面中の前記所定のボタンがタップされると、複数種類のおむつブランドのサイトのうち、月齢６月以内の乳児向けおむつブランドのサイトへ接続する、ことが望ましい。
【００１２】
このようなプログラムによれば、ユーザーは月齢６月以内の乳児に最適なおむつに関する情報を簡単に入手することができる。したがって、プログラムを利用しているユーザーのうち、大きな割合を占める月齢６月以内の乳児の育児をしている育児者（ユーザー）の利便性を高めることができる。
【００１３】
かかるプログラムであって、月齢６月以内の前記乳児の泣き声に基づいて、前記判定処理を前記コンピューターに実行させる、ことが望ましい。
【００１４】
このようなプログラムによれば、月齢６月以内の乳児は、まだ感情が芽生えていないため、純粋な生理的欲求で泣き声を発する傾向があり、言語的情報を含まない音（泣き声）を解析することにより、乳児の感情を識別しやすい。したがって、月齢６月以内の乳児の泣き声に基づいて判定を行うことで、より判定精度をより高めることができる。
【００１５】
かかるプログラムであって、前記判定処理において、前記乳児の泣き声に基づいて、前記乳児が泣いている原因が、前記おむつが濡れたことと、前記乳児が眠気を感じていることと、前記乳児が空腹を感じていることと、前記乳児が空腹を感じていることと、のうちいずれかに該当するか否かを判定し、前記原因のうちいずれにも該当しないと判定された場合には、判定できなかったことを表す判定不能画面を前記表示部に表示させる判定不能表示処理を前記コンピューターに実行させる、ことが望ましい。
【００１６】
このようなプログラムによれば、ユーザーは、判定不能画面が表示されたことを確認することにより、おむつが濡れたこと、眠気を感じていること、空腹を感じていること、空腹を感じていること以外の原因によって乳児が泣いていることを認識することができる。
【００１７】
かかるプログラムであって、前記判定処理において、前記乳児の泣き声に基づいて、前記乳児が泣いている原因が、前記おむつが濡れたことと、前記乳児が眠気を感じていることと、前記乳児が空腹を感じていることと、前記乳児が不安を感じていることと、のうちいずれかに該当すると判定された場合には、判定された原因毎に前記原因に対応した判定画面を前記表示部に表示させ、前記リンク処理において、各々の前記判定画面について所定の操作が行われると、判定された前記原因に応じて異なるサイトへ接続する、ことが望ましい。
【００１８】
このようなプログラムによれば、ユーザーは、乳児が泣いている原因が、おむつが濡れたこと、眠気を感じていること、空腹を感じていること、空腹を感じていること、のうちいずれに該当するのかを認識することができる。また、リンク処理で接続されるサイトを見ることで、乳児が泣いている原因に応じた適切な対処方法を簡単に確認することができる。
【００１９】
かかるプログラムであって、前記原因毎に表示される前記判定画面の各々には、特定のキャラクターが表示され、前記判定画面毎に前記キャラクターの態様が異なる、ことが望ましい。
【００２０】
このようなプログラムによれば、ユーザーは、判定画面中に見慣れたキャラクターが表示されているのを見て安心し、落ち着いて画面操作等を行うことができる。また、判定画面毎に異なる態様のキャラクターが表示されているため、乳児が泣いている原因が異なることをユーザーが理解しやすい。
【００２１】
かかるプログラムであって、前記キャラクターの態様は、前記判定画面に対応する前記原因に関連した態様である、ことが望ましい。
【００２２】
このようなプログラムによれば、ユーザーは、判定画面に表示されたキャラクターの態様を視認することにより、乳児が泣いている原因を一見して認識することができる。
【００２３】
かかるプログラムであって、前記不安には、前記乳児がさびしいと感じる感情と、前記乳児が保護者にかまってほしいと感じる感情と、前記乳児が痛いと感じる感情と、のうちいずれかの感情が含まれる、ことが望ましい。
【００２４】
このようなプログラムによれば、ユーザーは、月齢６月以内の乳児が生理的欲求の一部として発する、さびしい、かまってほしい等の「不安」な感情を正確に知ることができる。これにより、乳児の不安を解消するための適切な対処法を取りやすくなる。
【００２５】
かかるプログラムであって、前記コンピューターに、前記乳児の月齢を判定する月齢判定処理を実行させ、前記乳児の月齢が所定の月齢以上であると判定した場合には、前記不安とは異なる他の感情に関する原因を、前記乳児が泣いている原因の一項目として追加する、ことが望ましい。
【００２６】
このようなプログラムによれば、月齢６月を超えた乳児が泣いている原因を正確に判定しやすくなる。一般に、月齢６月を境に、乳児には生理的な欲求の他とは別のイヤイヤ等の感情が芽生え始める。そのため、月齢６月以上の乳児に対しては、当該「感情」に関する原因を、泣いている原因の一項目として追加することにより、判定不能となってしまう確率を低くすることができる。
【００２７】
かかるプログラムであって、前記他の感情には、嫌悪、及び、恐怖のうち少なくとも一方に関する感情が含まれる、ことが望ましい。
【００２８】
このようなプログラムによれば、ユーザーは、月齢６月以上の乳児が泣いている原因を具体的に認識しやすくなる。嫌悪や恐怖に関する感情は、乳児の月齢が６月を超えた段階で芽生える感情であるため、泣き声データからこのような感情を読み取ることができるようにすることで、月齢６月以上の乳児が泣いている原因をより高精度に判定しやすくなる。
【００２９】
かかるプログラムであって、前記複数種類のおむつブランドのサイトには、テープ型おむつに関するサイトと、パンツ型おむつに関するサイトとがあり、前記複数種類のおむつブランドのサイトのうち、月齢６月以内の乳児向けおむつブランドのサイトは、前記テープ型おむつに関するサイトである、ことが望ましい。
【００３０】
このようなプログラムによれば、月齢６月以内の乳児には、寝かせた状態で着脱させやすく、小さな身体に合わせて胴回りの調整等を行いやすいテープ型おむつが適していることから、テープ型おむつのサイトに接続することにより、月齢６月以内の乳児の育児者に対してより有益な情報を提供することができる。
【００３１】
かかるプログラムであって、前記プログラムの起動時に、前記特定のおむつブランドのサイトのブランド名が示されたトップ画面を前記表示部に表示させる、ことが望ましい。
【００３２】
このようなプログラムによれば、ユーザーは、トップ画面に表示されているブランド名を確認することで、プログラムが当該ブランドにかかるサービスであることを認識しやすく、安心してプログラムを利用することができる。
【００３３】
かかるプログラムであって、前記トップ画面について所定の操作が行われると、月齢６月以内の前記乳児に関する育児情報を前記表示部に表示させる、ことが望ましい。
【００３４】
このようなプログラムによれば、育児経験の少ない新米ママ等がユーザーである場合であっても、有益な育児情報を簡単に得ることができるため、安心して育児をすることができるようになる。
【００３５】
かかるプログラムであって、前記複数種類のおむつブランドのサイトのうち、月齢６月以内の乳児向けおむつブランドのサイトには、月齢６月以内の前記乳児向けおむつの吸収性能に関する情報が含まれる、ことが望ましい。
【００３６】
このようなプログラムによれば、おむつの吸収性能に関する情報を含むサイトに接続することで、ユーザーのおむつに関する知識が乏しい場合であっても、おむつにどの程度の吸収性能が要求されるのか等について理解しやすくなる。これにより、ユーザーは、最適なおむつを迷うことなく購入等することができるようになる。
【００３７】
また、乳児の泣き声に基づいて、おむつが濡れたことを原因として前記乳児が泣いているのか否かを判定する判定工程と、前記おむつが濡れたことを原因として前記乳児が泣いていると判定された場合は、前記おむつが濡れたことを原因として前記乳児が泣いていることを表すおむつ濡れ判定画面を表示部に表示させる表示工程と、前記おむつ濡れ判定画面中の所定のボタンがタップされると、複数種類のおむつブランドのサイトのうち、特定のおむつブランドのサイトへ接続するリンク工程と、を有する、育児支援方法、が明らかとなる。
【００３８】
このような育児支援方法によれば、ユーザーは、おむつ濡れ判定画面を見ることで、乳児が泣いている原因を明確に認識することができる。また、当該画面からおむつブランドのサイトへリンクすることにより、ユーザーは、おむつに関する情報を簡単に入手することができる。したがって、ユーザーは、乳児が泣いている原因を正確に知ることができると共に、当該原因に応じた適切な対処方法を得ることができる。
【００３９】
＝＝＝実施形態＝＝＝
＜育児支援システムの構成＞
本実施形態に係る育児支援方法を実現する手段として、インターネット等のネットワークに接続可能な端末１０を用いた育児支援システムについて説明する。本実施形態における育児対象者である「乳児」は、生後１年ぐらいまでの赤ちゃんである。特に、月齢６月以内の乳児に対して使用した場合、後述する「泣き声判定」を高精度に行うことができる。
【００４０】
端末１０は、ユーザー（育児者や端末１０の操作者）からの入力操作等に基づく情報の入力を受け付けて各種の処理を行い、その結果を表示部１４に表示させる。端末１０は、例えばスマートフォンやタブレット端末である。本実施形態では、後述する育児支援プログラム（以下、単に「プログラム」とも言う。）をインストールすることにより、端末１０単体で育児支援システムを構成することが可能である。
【００４１】
図１は、端末１０の機能上の構成を示すブロック図である。本実施形態の端末１０は、制御部１１、記憶部１２、入力部１３、表示部１４、及び通信部１５を有している。
【００４２】
制御部１１は、各部間のデータの受け渡しを行うとともに、端末全体の制御を行うものであり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。また、制御部１１は、少なくとも、泣き声判定処理部１１１と、画面表示処理部１１２と、リンク処理部１１３と、月齢判定処理部１１４と、個人情報受け付け処理部１１５を有している。各部における具体的な処理動作については後で説明する。
【００４３】
記憶部１２は、プログラム等が記憶される読み取り専用の記憶領域であるＲＯＭ（Read Only Memory）と、制御部１１による演算処理のワーク領域として使用される書き換え可能な記憶領域であるＲＡＭ（Random Access Memory）とを有しており、例えば、フラッシュメモリやハードディスク等の不揮発性記憶装置によって実現される。本実施形態における記憶部１２は、乳児が泣いている原因を表す原因情報、後述するリンク処理において接続されるインターネットサイトに関するリンク情報、育児対象者である乳児に関する個人情報、各種表示画面に関する画面情報等が記憶される。
【００４４】
入力部１３は、操作入力部１３１と、音声情報入力部１３２とを有する。操作入力部１３１は、端末１０を使用するユーザー（育児者等）がプログラムの操作指示を行ったり、乳児の生年月日等の各種データを入力したりするものであり、例えば、タッチパネルのタップ操作により実現される。音声情報入力部１３２は、乳児の泣き声等の音声データを入力するためのものであり、例えば、マイクによって実現される。
【００４５】
表示部１４は、制御部１１からの指令に基づいて各種の情報を表示する画面であり、例えば、液晶ディスプレイ（ＬＣＤ：Liquid Crystal Display）等によって実現される。本実施形態の端末１０では、表示部１４がタッチパネルとなっており、情報を表示する機能に加えて操作入力部１３１としての機能を有している。
【００４６】
通信部１５は、インターネット等のネットワークに接続して通信を行い、ネットワークを介して送信される各種データや信号を受信する受信部としての機能と、同ネットワークを介して各種データや信号を送信する送信部として機能とを有している。
【００４７】
＜育児支援方法＞
育児支援システムを用いた育児支援方法として、乳児の泣き声に基づいて当該乳児が泣いている原因を判定し、その原因に対する適切な対処方法を育児者に提供する方法について説明する。本実施形態の育児アドバイスは、端末１０の育児支援プログラム（プログラム）を用いて行われる。
【００４８】
はじめに、ユーザーは端末１０において初期設定を行う。プログラムを端末１０で初めて起動させると、個人情報受け付け処理部１１５は、個人情報入力表示画面（不図示）を表示部１４に表示させて、育児対象者である乳児に関する個人情報の入力を受け付ける。ユーザーは、端末１０の操作入力部１３１を介して、個人情報として少なくとも乳児の生年月日を入力する。さらに、乳児の性別や名前、その他の情報を入力するようにしても良い。個人情報受け付け処理部１１５は個人情報の入力を受け付けると、受け付けた個人情報を記憶部１２に記憶させる。なお、入力した個人情報は、後から変更・修正可能にしておくと良い。
【００４９】
初期設定を終了すると、育児支援プログラムによる育児支援動作を開始することが可能となる。図２は、本実施形態にかかる育児支援動作の処理手順を示すフロー図である。同図２では、本実施形態の育児支援システムによって提供される育児支援動作のうち、「泣き声判定」を実行する際の具体的処理について表している。
【００５０】
初期設定完了終了後にプログラムが起動され、育児支援動作が開始されると、画面表示処理部１１２は、端末１０の表示部１４に、トップ画面２００を表示させる処理を行う（Ｓ１０１）。図３は、トップ画面２００の一例を示す図である。
【００５１】
トップ画面２００は、本実施形態の育児支援システムの開始時に表示される初期画面であり、ブランド名表示領域２０１と、キャラクター表示領域２０２と、メニュー表示領域２０３と、情報表示領域２０４と、選択領域２１０とを有している。ブランド名表示領域２０１には、育児対象者である乳児向けのおむつブランド名が表示される。例えば、図３では、月齢６月以内の乳児向けのおむつブランドのブランド名として「Ｍａｍｙ」のロゴが表示されている。なお、このおむつブランド名は、以降の各画面でも常に表示されており（図４〜図９等参照）、ユーザーは、当該おむつブランドにかかるサービスであることを認識しやすく、安心して育児支援プログラムを利用することができる。
【００５２】
キャラクター表示領域２０２には、特定のキャラクターが表示される。図３では、ブランド名表示領域２０１に表示されているおむつブランド（Ｍａｍｙ）に関連するブランドキャラクターの画像が表示されている。トップ画面２００にブランド名やキャラクターが表示されることにより、ユーザーは、育児支援システムを利用する度に当該キャラクター等を目にすることとなるため、ユーザーは当該ブランドに親しみやすくなる。
【００５３】
メニュー表示領域２０３には、現在選択されているメニューが表示される。初期状態では図３のように「Ｎｅｗｓ」が表示されるが、ユーザーが後述する各種メニューのうちいずれかを選択した場合には、当該選択したメニューが表示される。情報表示領域２０４には、そのメニューにおいてユーザーに提供される各種情報が表示される。例えば、「Ｎｅｗｓ」が選択されている場合、情報表示領域には、上述したおむつブランドの新製品発売に関する情報や、同おむつブランドに関連するイベント（例えば、販売促進イベント）に関する情報等が表示される。これらの情報は、インターネット等のネットワークを介して、その時点で最新の情報が表示されるようにしておくと良い。
【００５４】
選択領域２１０は、本実施形態の育児支援システムにおいてユーザーに提供される複数のサービス（メニュー）を選択するための領域であり、メニュー毎にボタン（アイコン）が表示されている。図３では、ではＮｅｗｓボタン２１１と、泣き声判定ボタン２１２と、製品ボタン２１３と、育児情報ボタン２１４と、乳児情報ボタン２１５とが表示されている。ユーザーが、ボタン２１１〜２１５のいずれかを選択してタップすると、当該ボタンに対応付けられているサービスが開始される。
【００５５】
Ｎｅｗｓボタン２１１は、上述のように、おむつブランドに関する製品情報やイベント情報等の最新情報をユーザーに提供する「Ｎｅｗｓ」を開始させるためのボタンである。泣き声判定ボタン２１２は、乳児の泣き声に基づいて、当該乳児が泣いている理由を判定する「泣き声判定」を開始させるためのボタンである。「泣き声判定」で行われる具体的な処理については後で説明する。製品ボタン２１３は、おむつブランドの製品として実際に販売されている乳児用使い捨ておむつについての情報を提供する「製品情報」を開始させるためのボタンである。製品情報としては、例えば、当該製品のＣＭ動画や、当該製品を紹介するホームページへのリンク等が表示される。
【００５６】
育児情報ボタン２１４は、育児に関する有益な情報をユーザー（育児者）に提供する「育児情報」を開始させるためのボタンである。図４は、育児情報ボタン２１４がタップされた場合に表示される育児情報表示画面２５０の一例である。育児情報表示画面２５０は、育児に関する各種情報を表示する画面であり、ブランド名表示領域２５１と、キャラクター表示領域２５２と、メニュー表示領域２５３と、育児情報表示領域２５４と、選択領域２６０とを有している。このうち、ブランド名表示領域２５１、キャラクター表示領域２５２、メニュー表示領域２５３、及び選択領域２６０は、それぞれトップ画面２００のブランド名表示領域２０１、キャラクター表示領域２０２、メニュー表示領域２０３、及び選択領域２１０とほぼ同様の構成・機能を有しているため、ここでは詳細な説明を省略する。
【００５７】
育児情報表示領域２５４には、ユーザー向けの育児に関するアドバイスや、育児に有益な情報が表示される。例えば、月齢６月以内の乳児について、睡眠や入浴等の生活リズムについてのアドバイスや、就寝前のタッチケア時の注意点等に関する情報が表示される。これにより、育児経験の少ない新米ママ等がユーザーである場合でも、安心して育児をすることができる。なお、これらの育児情報は、基本的に記憶部１４に記憶されているが、インターネットを介して外部情報を参照するようにしても良い、また、外部の育児サイトへ接続するようにしても良い。また、図４では、月齢６月以内の乳児についてのアドバイスが表示されているが、乳児の月齢や性別に応じて異なる育児情報が表示されるようにしても良い。例えば、育児情報ボタン２１４がタップされると、月齢判定処理部１１４が、初期設定時に登録された乳児の個人情報を参照し、その乳児に最適な育児情報を選択して表示させるようにしても良い。
【００５８】
乳児情報ボタン２１５は、初期設定で登録された個人情報を確認したり編集したりする「乳児情報」を開始させるためのボタンである。
【００５９】
図２に戻って、ユーザーがトップ画面２００の泣き声判定ボタン２１２（図３参照）をタップすると、泣き声判定の処理が開始され、画面表示処理部１１２は、表示部１４に泣き声判定開始画面３００を表示させる処理を行う（Ｓ１０２）。図５は、泣き声判定開始画面３００の一例を示す図である。
【００６０】
泣き声判定開始画面３００は、泣き声判定を実施するための基本画面であり、ブランド名表示領域３０１と、メニュー表示領域３０２と、キャラクター表示領域３０３と、説明表示領域３０４と、録音ボタン３０５と、選択領域３０９とを有している。ブランド名表示領域３０１、メニュー表示領域３０２、及び選択領域３０９は、それぞれトップ画面２００のブランド名表示領域２０１、メニュー表示領域２０３、及び選択領域２１０とほぼ同様の構成・機能を有している。
【００６１】
キャラクター表示領域３０３には、トップ画面２００に表示されていたキャラクターと同じキャラクター（おむつブランドに関連するブランドキャラクター）の画像が表示される。おなじみのキャラクターが表示されていることにより、新生児が泣きやませようとして焦りがちなユーザーに安心感を与え、落ち着いて画面操作を行わせることができる。説明表示領域３０４には、泣き声判定を行う際の操作説明が表示される。ユーザーは、当該操作説明を見ながら画面を操作することにより、泣き声判定を間違いなく行うことができる。録音ボタン３０５は、乳児の泣き声の録音を開始させるためのボタンである。
【００６２】
次いで、乳児の泣き声データの取得が行われる（Ｓ１０３）。ユーザーは、泣いている乳児の側に端末１０の音声情報入力部１３２（マイク等）をかざし、泣き声判定画面３００に表示されている録音ボタン３０５を所定時間押し続ける。これにより、乳児の泣き声が所定時間分録音され、泣き声データとして記憶部１２に記憶される。なお、本実施形態において、所定時間は、例えば約４秒間とすることができる。４秒程度であれば、録音時の負担やストレスを乳児やユーザーに与え難く、かつ、泣き声判定を高精度に行うのに十分な泣き声データを取得することができる。
【００６３】
次いで、泣き声判定処理部１１１は、取得した泣き声のデータに基づいて、乳児が泣いている原因について判定する判定処理を行う（Ｓ１０４）。本実施形態の判定処理は、取得した泣き声データについて周波数領域の特徴を解析することによって行われる。周波数領域の特徴の解析方法としては、一例として、「Multidimensional Systems and Signal Processing  Volume 28 Issue 3, July 2017」に開示された周波数領域等の特徴と感情との対応付け手段や、その他の公知の解析方法を利用することができる。例えば、取得した泣き声データに対して、所定の正規化処理やノイズ除去処理を施した後、ピーク、コントラスト、ピッチ等の周波数領域の特徴を抽出し、これらの周波数領域等の特徴と感情との相関関係を評価することにより、乳児が泣いている原因を判定する。
【００６４】
乳児の泣き声には、言葉等の言語的情報が含まれにくく、音によって感情を識別することができるため、言語や性別に左右されにくく、正確な判定を行うことができる。特に、月齢６月以内の乳児や新生児は、まだ感情が芽生えていないことから、純粋な生理的欲求で泣き声を発する傾向がある。そのため、本実施形態の育児支援システムは、月齢６月以内の乳児に適用することで、当該乳児が泣いている原因をより正確に判定することが可能である。
【００６５】
記憶部１２には、乳児が泣いている原因として、予め複数種類の原因が記憶されている。例えば、「おむつが濡れたこと」，「眠気を感じている」，「空腹を感じている」，「不安を感じている」等の原因が記憶されており、取得した泣き声データがいずれかの理由に該当するのか否について判定が行われる。もちろん、これ以外の他の原因が記憶されていても良い。
【００６６】
Ｓ１０４では、先ず、乳児が泣いている原因が「おむつが濡れたこと」であるか否かについての判定が行われる。その結果、乳児が泣いている原因が「おむつが濡れたこと」であると判定された場合（Ｓ１０４がＹｅｓ）、画面表示処理部１１２は、判定された原因に対応した判定画面を表示部１４に表示させる表示処理を行う（Ｓ１０５）。ここでは、記憶部１２に記憶されている複数の画面情報のうち、おむつが濡れたことを原因として乳児が泣いていることを表す「おむつ濡れ判定画面３１０」が選択され、表示部１４に表示される。なお、乳児が泣いている原因が「おむつが濡れたこと」ではないと判定された場合（Ｓ１０４がＮｏ）、引き続き他の原因についての判定が行われる（後述するＳ１０８等）。
【００６７】
図６は、おむつ濡れ判定画面３１０の一例を表す図である。おむつ濡れ判定画面３１０は、ブランド名表示領域３１１と、メニュー表示領域３１２と、原因表示領域３１３と、キャラクター表示領域３１４と、確認ボタン３１５ａ，３１５ｂと、選択領域３１９とを有している。ブランド名表示領域３１１と、メニュー表示領域３１２、及び選択領域３１９は、それぞれトップ画面２００のブランド名表示領域２０１、メニュー表示領域２０３、及び選択領域２１０とほぼ同様の構成・機能を有している。
【００６８】
原因表示領域３１３には、乳児が泣いている原因が文字情報として表示される。例えば、「おむつが濡れているよ！」等の文字が表示される。キャラクター表示領域３１４には、おむつブランドに関連するブランドキャラクターが、乳児が泣いている原因に関連した態様で表示される。例えば、両手を挙げておむつの交換をして欲しがっている態様でキャラクターが表示される。ユーザーは、このようにおむつ濡れ判定画面３１０に表示されたキャラクターの態様や文字情報を見ることで、乳児が泣いている原因を明確に認識することができる。なお、キャラクター表示領域３１４に表示されるキャラクターは、所定のインターネットサイトへ接続するためのリンクボタンとしての機能を有している。
【００６９】
確認ボタン３１５ａ，３１５ｂは、判定結果が正しかったか否かについて確認するためのボタンである。ユーザーは、乳児が泣いている原因が誤っていた場合には「Ｍｏｄｉｆｙ」と表示された確認ボタン３１５ａをタップし、乳児が泣いている原因が正しかった場合には「ＯＫ」と表示された確認ボタン３１５ｂをタップする。ユーザーによって確認ボタン３１５ａがタップされた場合（すなわち、判定された原因が誤りであった場合）には、不図示の判定結果訂正画面に移行して、乳児が泣いている原因が分かる場合（例えば「眠い」等）には、正しい原因に訂正させるようにすると良い。確認ボタン３１５ａ，３１５ｂを利用して判定結果についての評価を蓄積することにより、泣き声判定処理部１１１による判定精度をより向上させることができる。
【００７０】
次いで、おむつ濡れ判定画面３１０上でユーザーが所定の操作を行ったか否かが判断される（Ｓ１０６）。ここでは、キャラクター表示領域３１４に表示されるキャラクターのボタン（リンクボタン）がタップされたか否かが判断される。
【００７１】
キャラクターのボタンがタップされた場合（Ｓ１０６がＹｅｓ）、リンク処理部１１３は、判定された原因に応じて、適当なインターネットサイトへ接続するリンク処理を行う（Ｓ１０７）。ここでは、乳児が泣いている原因が「おむつが濡れたこと」であると判定されているため、複数種類のおむつブランドのサイトのうち、特定のおむつブランドのサイトへ接続する処理が行われる。Ｓ１０７のリンク処理で接続される特定のおむつブランドのサイトは、リンク情報として予め記憶部１２に記憶されている複数種類のおむつブランドサイトの中から、月齢６月以内の乳児向けおむつブランドが選択されることが望ましい。上述したように、本実施形態の泣き声判定処理では、乳児の月齢が６月以内である場合に、当該乳児が泣いている原因を高精度に判定することができる。つまり、本実施形態の育児支援システムは月齢６月以内の乳児に適用することによって最大の効果を発揮することが可能であり、月齢６月以内の乳児を育てている育児者がユーザーの中で大きな割合を占める可能性が高い。
【００７２】
そこで、Ｓ１０７のリンク処理において、月齢６月以内の乳児向けおむつブランドのサイトに接続するようにすることで、ユーザーは月齢６月以内の乳児に最適なおむつに関する情報を簡単に入手可能となり、多くのユーザーにとって利便性の高いものとなる。このように、乳児が泣いている原因を正確に判定し、当該原因に応じた適切なサイトに接続されることにより、ユーザーは、育児の際に有益な情報を簡単に取得することができる。
【００７３】
さらに、乳児の実際の月齢に応じて適当なおむつブランドのサイトに接続されるようにしても良い。例えば、初期設定で登録された乳児の生年月日から月齢判定処理部１１４によって乳児の実際の月齢を算出し、乳児毎に最適なおむつブランドのサイトへ接続することができるようにする。このようにすれば、ユーザー毎に提供される情報が最適化されるため、より有益なサービスを実現することができる。
【００７４】
また、複数種類のおむつブランドのサイトには、パンツ型おむつに関するサイトと、テープ型おむつに関するサイトとがあるが、Ｓ１０７のリンク処理では、テープ型おむつのサイトに接続されることが望ましい。育児対象者が月齢６月以内の乳児である場合、テープ型おむつの方が、寝かせた状態で着脱させやすく、小さな身体に合わせて胴回りの調整等を行いやすい。また、月齢６月以内の乳児はハイハイで動き回る等、大きく身体を動かす心配がないため、パンツ型おむつのようなフィット性は要求されず、テープ型おむつであっても漏れ等は発生しにくい。そのため、月齢６月以内の乳児を育てている育児者（ユーザー）にとって利便性が高いテープ型おむつに関するサイトに接続するようにすると良い。
【００７５】
また、Ｓ１０７のリンク処理において、おむつの吸収性能に関する情報が説明されているサイトに接続されることが望ましい。育児経験が少ない新米ママ等がユーザーである場合、おむつに関する知識が乏しいため、当該おむつにどの程度の吸収性能が要求されるのかが分からず、おむつの購入に迷ってしまうおそれがある。そこで、吸収性能に関する情報を含むサイトに接続することで、ユーザーが迷うことなく月齢６月以内の乳児に最適なおむつを購入等することができるようになる。
【００７６】
Ｓ１０６で、おむつ濡れ判定画面３１０でキャラクターのボタンが押されなかった場合には（Ｓ１０６がＮｏ）、そのまま泣き声判定処理を終了する。
【００７７】
図２に戻って、Ｓ１０４の判定処理で、乳児が泣いている原因が「おむつが濡れたこと」ではないと判定された場合（Ｓ１０４がＮｏ）、泣き声判定処理部１１１は、判定処理を継続させ、乳児が泣いている他の原因について判定を行う。例えば、本実施形態では乳児が泣いている原因が「眠気を感じていること」であるか否かについて判定が行われる（Ｓ１０８）。
【００７８】
Ｓ１０８の判定処理で、乳児が泣いている原因が「眠気を感じていること」であると判定された場合（Ｓ１０８がＹｅｓ）、画面表示処理部１１２は、判定された原因に対応した判定画面として「眠気判定画面３２０」を表示部１４に表示させる（Ｓ１０９）。図７は、眠気判定画面３２０一例を表す図である。眠気判定画面３２０は、ブランド名表示領域３２１と、メニュー表示領域３２２と、原因表示領域３２３と、キャラクター表示領域３２４と、確認ボタン３２５ａ，３２５ｂと、選択領域３２９とを有している。眠気判定画面３２０の基本的な構成は、おむつ濡れ判定画面３１０と同様であるため、以下では、異なる部分のみ説明する。
【００７９】
眠気判定画面３２０の原因表示領域３２３には、乳児が泣いている原因として「おねむだよ！」等の文字が表示される。そして、キャラクター表示領域３２４には、おむつブランドに関連するキャラクターが、眠っている態様で表示される。ユーザーは、眠気判定画面３２０に表示されたキャラクターや文字情報を見ることで、乳児が眠気を原因として泣いていることを一見して理解することができる。このように、判定画面毎にキャラクターが異なる態様で表示されることにより、ユーザーは、乳児が泣いている原因を理解しやすくなる。さらに、表示されているキャラクターの態様が、乳児が泣いている原因と関連していることにより、その時点で乳児が何を感じているのか、何を要求しているのか等について、具体的な原因を分かりやすくユーザーに伝えることができる。これにより、ユーザーが、乳児が泣いている原因について勘違いしたり、誤った対処をしたりすることを抑制することができる。
【００８０】
次いで、上述したＳ１０６と同様に、眠気判定画面３２０上でユーザーが所定の操作を行ったか否かが判断される（Ｓ１１０）。具体的には、キャラクター表示領域３２４に表示されるキャラクターのボタン（リンクボタン）がタップされたか否かが判断される。そして、キャラクターのボタンがタップされた場合（Ｓ１１０がＹｅｓ）、リンク処理部１１３は、判定された原因に応じた適当なサイトへ接続するリンク処理を行う（Ｓ１１１）。例えば、子守歌を視聴可能な動画サイトへ接続する。これにより、面倒な操作をすることなく簡単に乳児に子守歌を聞かせることができるようになり、ユーザーは速やかに乳児を睡眠させることができる。
【００８１】
再び、図２に戻って、Ｓ１０８の判定処理で、乳児が泣いている原因が「眠気を感じていること」ではないと判定された場合（Ｓ１０８がＮｏ）、泣き声判定処理部１１１は、判定処理を継続させ、乳児が泣いている他の原因についてさらなる判定を行う。例えば、乳児が泣いている原因が「空腹を感じていること」であるか否かについて判定を行う（Ｓ１１２）。
【００８２】
Ｓ１１２の判定処理で、乳児が泣いている原因が「空腹を感じていること」であると判定された場合（Ｓ１１２がＹｅｓ）、画面表示処理部１１２は、判定された原因に対応した判定画面として「空腹判定画面３３０」を表示部１４に表示させる（Ｓ１１３）。図８は、空腹判定画面３３０一例を表す図である。空腹判定画面３３０は、ブランド名表示領域３３１と、メニュー表示領域３３２と、原因表示領域３３３と、キャラクター表示領域３３４と、確認ボタン３３５ａ，３３５ｂと、選択領域３３９とを有している。空腹判定画面３３０の基本的な構成も、おむつ濡れ判定画面３１０と同様であるため、以下では、異なる部分のみ説明する。
【００８３】
空腹判定画面３３０の原因表示領域３３３には、乳児が泣いている原因として「おなかがすいたよ〜」等の文字が表示される。そして、キャラクター表示領域３３４には、おむつブランドに関連するキャラクターが、スプーンとフォークを持ってごはんを待っている態様で表示される。ユーザーは、空腹判定画面３３０に表示されたキャラクターや文字情報を見ることで、乳児が空腹を原因として泣いていることを一見して理解することができる。
【００８４】
次いで、空腹判定画面３３０上でユーザーが所定の操作を行ったか否かが判断される（Ｓ１１４）。具体的には、キャラクター表示領域３３４に表示されるキャラクターのボタン（リンクボタン）がタップされたか否かが判断される。そして、キャラクターのボタンがタップされた場合（Ｓ１１４がＹｅｓ）、リンク処理部１１３は、判定された原因に応じた適当なサイトへ接続するリンク処理を行う（Ｓ１１５）。例えば、母乳パッドの製品を紹介するサイトや粉ミルクを紹介するサイトへ接続する。これにより、ユーザーは、乳児に与える食事（母乳や粉ミルク等）に関する有益な情報を簡単に取得することができる。
【００８５】
再び、図２に戻って、Ｓ１１２の判定処理で、乳児が泣いている原因が「空腹を感じていること」ではないと判定された場合（Ｓ１１２がＮｏ）、泣き声判定処理部１１１は、判定処理を継続させ、乳児が泣いている他の原因についてさらなる判定を行う。例えば、乳児が泣いている原因が「不安を感じていること」であるか否かについて判定を行う（Ｓ１１６）。
【００８６】
Ｓ１１６の判定処理で、乳児が泣いている原因が「不安を感じていること」であると判定された場合（Ｓ１１６がＹｅｓ）、画面表示処理部１１２は、判定された原因に対応した判定画面として「不安判定画面３４０」を表示部１４に表示させる（Ｓ１１７）。図９は、不安判定画面３４０一例を表す図である。不安判定画面３４０は、ブランド名表示領域３４１と、メニュー表示領域３４２と、原因表示領域３４３と、キャラクター表示領域３４４と、確認ボタン３４５ａ，３４５ｂと、選択領域３４９とを有している。不安判定画面３４０の基本的な構成も、おむつ濡れ判定画面３１０と同様であるため、以下では、異なる部分のみ説明する。
【００８７】
不安判定画面３４０の原因表示領域３４３には、乳児が泣いている原因として「あそんでほしいよ〜」等の文字が表示される。そして、キャラクター表示領域３３４には、おむつブランドに関連するキャラクターが、ハートマークを持ってユーザーに語りかけている態様で表示される。ユーザーは、不安判定画面３４０に表示されたキャラクターや文字情報を見ることで、乳児が不安を原因として泣いていることを一見して理解することができる。
【００８８】
なお、本実施形態の泣き声判定において判定される「不安」には、乳児がさびしいと感じる感情、乳児が保護者（育児者）にかまってほしいと感じる感情、及び、乳児が痛いと感じる感情のいずれかが含まれている。したがって、乳児が泣いている原因として「不安」が判定された場合、ユーザーは、乳児をかまってあげることによって、これらの感情を取り除くことができる。不安の内容がある程度明確になるため、ユーザーは乳児の不安を解消させやすくなる。
【００８９】
次いで、不安判定画面３４０上でユーザーが所定の操作を行ったか否かが判断される（Ｓ１１８）。具体的には、キャラクター表示領域３４４に表示されるキャラクターのボタン（リンクボタン）がタップされたか否かが判断される。そして、キャラクターのボタンがタップされた場合（Ｓ１１８がＹｅｓ）、リンク処理部１１３は、判定された原因に応じた適当なサイトへ接続する処理を行う（Ｓ１１９）。例えば、キャラクターが歌って踊りながらおまじないを唱える、おまじないソングを視聴可能なサイトへ接続する。これにより、乳児のさびしや痛みを紛らわせ、また、乳児はユーザー（育児者）に加えてキャラクターにもかまってもらっているように感じるため、不安が解消されやすくなる。
【００９０】
再び、図２に戻って、Ｓ１１６の判定処理で、乳児が泣いている原因が「不安を感じていること」ではないと判定された場合（Ｓ１１６がＮｏ）、画面表示処理部１１２は、原因を判定できなかったことを表す判定不能画面４００を表示部１４に表示させる判定不能表示処理を行う（Ｓ１２０）。
【００９１】
図１０は、判定不能画面４００の一例を表す図である。判定不能画面４００は、乳児が泣いている原因を判定できなかったことをユーザーに知らせると共に、再度泣き声判定処理を実施させるための画面である。判定不能画面４００は、ブランド名表示領域４０１と、メニュー表示領域４０２と、キャラクター表示領域４０３と、説明表示領域４０４と、録音ボタン４０５と、選択領域４１０とを有している。このうち、キャラクター表示領域４０３には、おむつブランドに関連するキャラクターが、泣き声判定ができなかったことを謝っている態様で表示される。また、判定不能であったことをユーザーに伝えるメッセージ、及び、必要に応じてユーザーに泣き声判定の再試行を促すメッセージが表示される。ユーザーは、判定不能画面４００が表示されたことを確認することにより、乳児が上述以外の原因により泣いていることを認識することができる。また、泣き声判定を再度実施することもできる。
【００９２】
なお、図２で説明した泣き声判定の動作では、判定処理において、Ｓ１０４，Ｓ１０８，Ｓ１１２，Ｓ１１６の順番で乳児が泣いている原因についての判定が行われていたが、判定の順番はこの限りではない。例えば、「眠気を感じていること」についての判定（Ｓ１０８）と、「空腹を感じていること」についての判定（Ｓ１１２）の順番が逆であっても良いし、他の順番であっても良い。また、上述した各ステップ（Ｓ１０４〜Ｓ１１６）以外に、乳児が泣いているその他の原因について判定するステップが設けられていても良い。
【００９３】
＜変形例＞
泣き声判定の動作において、乳児が泣いている原因について、当該乳児の月齢に応じた判定を行うように変形することもできる。上述の判定処理では、月齢６月以内の乳児を主な対象としていることを説明したが、月齢が６月を超えた乳児には感情が芽生えるため、上述した原因以外に、感情に起因した原因によって泣く場合がある。例えば、月齢６月以上の乳児は、「かんしゃく」や「イヤイヤ」等、嫌悪や恐怖に基づいた感情を原因として泣く場合がある。このような感情は、「おむつが濡れた」、「眠気を感じている」、「空腹を感じている」、「不安を感じている」のいずれとも異なることから、図２のフローでは、判定不能となるおそれがある。そこで、変形例では、乳児の月齢が６月以上である場合に、「不安」とは異なる「他の感情」を、乳児が泣いている原因の一項目として追加して、当該「他の感情」についても判定できるようにし、判定不能となる確率を低くする。
【００９４】
図１１は、変形例における泣き声判定の処理手順の示すフロー図である。Ｓ２０１〜Ｓ２１９の各ステップは、図２で説明した処理手順と同様であるため説明を省略する。
【００９５】
図１１のＳ２１６で、乳児が泣いている原因が「不安を感じている」ではないと判定された場合（Ｓ２１６がＮｏ）、月齢判定処理部１１４は、記憶部１２に記憶されている乳児の個人情報データ（生年月日）を参照して乳児の月齢を算出し、月齢が６月以上であるか否かを判定する（Ｓ２２０）。乳児の月齢が６月未満であると判定された場合は（Ｓ２２０がＮｏ）、判定不能画面４００を表示させる（Ｓ２２３）。一方、乳児の月齢が６月以上であると判定された場合（Ｓ２２０がＹｅｓ）、泣き声判定処理部１１１は、乳児が泣いている原因の一項目として「他の感情」を追加して、乳児が「他の感情」を原因として泣いているのか否かについて判定を行う（Ｓ２２１）。この「他の感情」には、少なくとも「嫌悪」及び「恐怖」のうち、いずれか一方が含まれている。なお、Ｓ２２０の月齢判定処理は、泣き声判定の開始時（例えばＳ２０１の直後等）に実施されるようにしても良い。
【００９６】
そして、乳児が泣いている原因が「他の感情」であると判定された場合（Ｓ２２１がＹｅｓ）、画面表示処理部１１２は、他の感情に関連する嫌悪感判定画面（不図示）を表示部１４に表示させる（Ｓ２２２）。嫌悪感判定画面は、図６〜図９で説明した各種判定画面と同様の構成とすることができる。また、嫌悪感判定画面にも他のサイトへ接続するためのリンクボタンが設けられ、ユーザーが当該リンクボタンをタップすることにより、「他の感情」を解消するための有益な情報を取得可能なサイトへ接続できるようにしておくと良い。一方、乳児が泣いている原因が「他の感情」ではないと判定された場合は（Ｓ２２１がＮｏ）、Ｓ２２３に進んで処理を終了する。
【００９７】
このように、乳児の月齢が所定以上（上述の例では６月以上）である場合に、乳児が泣いている原因として、乳児に芽生える可能性のある感情に関連した原因を追加して判定することにより、より正確な泣き声判定を実施することができる。なお、乳児の月齢が高くなるのに応じて上記以外の原因をさらに追加可能な構成としても良い。
【００９８】
＝＝＝その他の実施形態＝＝＝
以上、本発明の実施形態について説明したが、上記の実施形態は、本発明の理解を容易にするためのものであり、本発明を限定して解釈するためのものではない。また、本発明は、その趣旨を逸脱すること無く、変更や改良され得るとともに、本発明にはその等価物が含まれるのは言うまでも無い。例えば、以下に示すような変形が可能である。
【００９９】
上述の実施形態は、プログラムが、前述した各種の処理をコンピューター又はマイクロプロセッサに実行させることにより実現することも可能である。この場合、全ての処理をプログラムとして準備していても良いし、一部の処理をハードウェアに処理させ残りの処理をプログラムとして準備していても良い。
【０１００】
また、実行可能なプログラムが記憶された非一時的なコンピューター可読媒体（non-transitory computer readable medium with an executable program thereon）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Read Only Memory）等がある。
【符号の説明】
【０１０１】
１０  端末（コンピューター）、
１１  制御部、
１１１  泣き声判定処理部、１１２  画面表示処理部、１１３  リンク処理部、
１１４  月齢判定処理部、１１５  個人情報入力受け付け処理部、
１２  記憶部、
１３  入力部、
１３１  操作入力部、１３２  音声情報入力部、
１４  表示部、
１５  通信部、
２００  トップ画面、
２０１  ブランド名表示領域、２０２  キャラクター表示領域、
２０３  メニュー表示領域、２０４  情報表示領域、
２１０  選択領域、
２１１  Ｎｅｗｓボタン、２１２  泣き声判定ボタン、２１３  製品ボタン、
２１４  育児情報ボタン、２１５  乳児情報ボタン、
２５０  育児情報表示画面、
２５１  ブランド名表示領域、２５２  キャラクター表示領域、
２５３  メニュー表示領域、２５４  育児情報表示領域、２６０  選択領域、
３００  泣き声判定開始画面、
３０１  ブランド名表示領域、３０２  メニュー表示領域、
３０３  キャラクター表示領域、３０４  説明表示領域、３０５  録音ボタン、
３０９  選択領域、
３１０  おむつ濡れ判定画面、
３１１  ブランド名表示領域、３１２  メニュー表示領域、３１３  原因表示領域、
３１４  キャラクター表示領域、３１５ａ，３１５ｂ  確認ボタン、３１９  選択領域、
３２０  眠気判定画面、
３２１  ブランド名表示領域、３２２  メニュー表示領域、３２３  原因表示領域、
３２４  キャラクター表示領域、３２５ａ，３２５ｂ  確認ボタン、３２９  選択領域、
３３０  空腹判定画面、
３３１  ブランド名表示領域、３３２  メニュー表示領域、３３３  原因表示領域、
３３４  キャラクター表示領域、３３５ａ，３３５ｂ  確認ボタン、３３９  選択領域、
３４０  不安判定画面、
３４１  ブランド名表示領域、３４２  メニュー表示領域、３４３  原因表示領域、
３４４  キャラクター表示領域、３４５ａ，３４５ｂ  確認ボタン、３４９  選択領域、
４００  判定不能画面、
４０１  ブランド名表示領域、４０２  メニュー表示領域、４０３  キャラクター表示領、４０４  説明表示領域、４０５  録音ボタン、４１０  選択領域
【図１】
2019095931.tif 000003
【図２】
2019095931.tif 000004
【図３】
2019095931.tif 000005
【図４】
2019095931.tif 000006
【図５】
2019095931.tif 000007
【図６】
2019095931.tif 000008
【図７】
2019095931.tif 000009
【図８】
2019095931.tif 000010
【図９】
2019095931.tif 000011
【図１０】
2019095931.tif 000012
【図１１】
2019095931.tif 000013